(57)【要約】【課題】排水時に発生する騒音と振動とを減少できる空調設備用排水装置の排水室を提供する。【解決手段】上部セル２０、下部セル３０、モーター４０及び排水羽根５０とを備える。上部セルの底面２２には環状凸縁２４が凸設される。環状凸縁は環状斜面２４２を有す。上部セルにはてっぺんから底に貫通した中穴が設けてある。上部セルと下部セルとの間には容室３２が形成され、また座金３４が組み付けられる。下部セルの底面は吸水管３６とひとつなぎになっており、下部セルの側面は吐水管３８とひとつなぎになっている。モーター４０は上部セルと連結し、モーター駆動軸４２は上部セルの中穴を突っ切って容室中に突き出し入る。排水羽根は容室中に取り付けられ、モーター駆動軸と連結し、排水羽根はモーター駆動軸の駆動を受けて回転する。【選択図】図３
0003129486.tif 000002
【実用新案登録請求の範囲】
【請求項１】
空調設備用排水装置の排水室であって、
上部セル及び下部セルを備え、
当該上部セルと当該下部セルとは互いに組み合わされて内部に容室が形成され、当該容室には排水羽根が中に設置され、
当該上部セルは中穴を有し、外側には組み合うモーター駆動軸が挿入され、当該排水羽根と連結可能であり、当該下部セルは下へ向かって吸水管が延び水を下方から吸入可能であり、
当該上部セルの底面には下へ向かって環状凸縁が凸設され、当該環状凸縁は環状斜面を有し、当該環状斜面が外から内へ向かい下へ向かって延びた状態を呈していることを特徴とする空調設備用排水装置の排水室。
【請求項２】
当該環状凸縁は、当該上部セル中央から放射状に沿って外へ向かって半径の３分の２の位置にあることを特徴とする請求項１に記載の空調設備用排水装置の排水室。
【考案の詳細な説明】
【技術分野】
【０００１】
本考案は、空調設備用排水装置に関するものであり、特に騒音を減少することのできる空調設備用排水装置の排水室を指す。
【背景技術】
【０００２】
図４を参照する。空調設備用排水装置の排水室６０であり、その構造は主に上部セル６２と下部セル６４とを含み、上部セル６２と下部セル６４とは互いに組み合わさって容室６６を形成し、排水羽根６８を中へ設置しており、上部セル６２は中穴を有し、モーター駆動軸７０を通し入れることで排水羽根６８と連結するのに供しており、下部セル６４は下へ向かって延びて容室６６の吸水管６４２とひとつなぎになり、水が下方から容室６６へ入るのに供する。水が吸水管６４２により容室６６へ入った後、モーター駆動軸７０は排水羽根６８を駆動して回転させ、排水羽根６８を動かして水を下部セル６４の側辺の吐水管６４４より外へ排出する。
しかしながら、排水羽根６８がモーター駆動軸７０の駆動を受けて回転する時、水にシンクロした回転が生じ似通った渦巻状態を発生するが、上部セル６２の底面６２２は水平状であるため、水の表面が上部セル６２の底面６２２と互いにぴったり合わなくなり、このことにより、水が排水羽根６８の力を受けて回転する時、絶えず上部セル６２の底面６２２にぶつかることとなり、ひいては大きな騒音と振動とを発生させる。
【考案の開示】
【考案が解決しようとする課題】
【０００３】
本考案の主な目的は、空調設備用排水装置の排水室を提供するところにあり、これにより排水時に発生する騒音と振動とを減少することができる。
【課題を解決するための手段】
【０００４】
上述の目的を達するために、本考案が提供する空調設備用排水装置の排水室は、上部セルと下部セルとを含み、当該上部セルと当該下部セルとは互いに組み合わさり内部に容室を形成して、排水羽根を中に設置する。当該上部セルは中穴を有し、外部に組み合わせるモーター駆動軸を通し入れ当該排水羽根と連結するのに供することができ、且つ当該上部セル底面には下へ向かって環状凸縁を凸設しており、当該環状凸縁は環状斜面を有し、当該環状斜面は外から内へ向かい下へ向かって延びた状態を呈しており、当該下部セルは下へ向かって吸水管を延ばすことで、水が下方から入るのに供する。
このことから、水が当該排水羽根の力を受けて回転する時、水の表面形状は当該環状斜面と互いに合うこととなり、水が回転する時当該上部セルの底面にぶつかることがなく、排水時に発生する騒音と振動とが減少する。
【考案を実施するための最良の形態】
【０００５】
図を組み合わせて以下のよい実施例を挙げ、本考案の構造及び効果に対する詳細な説明を行う。
図１から図３を参照する。本考案のよい実施例が提供する空調設備用排水装置の排水室１０であり、排水室１０には上部セル２０、下部セル３０、モーター４０及び排水羽根５０とを含む。
【０００６】
上部セル２０の底面２２には下へ向かって環状凸縁２４を凸設し、環状凸縁２４は上部セル２０の中央から放射状に沿って外へ向かって３分の２の半径の所に位置する。環状凸縁２４は環状斜面２４２を有し、当該環状斜面２４２は外から内へ向かい下へ向かって延びた状態を呈する。上部セル２０にはてっぺんから底の両面に貫通した中穴２６を設けてある。
下部セル３０は上部セル２０と互いに組み合わさることで、上部セル２０と下部セル３０との間に容室３２を形成し、且つ上部セル２０と下部セル３０との間には座金３４を組み付ける。下部セル３０の底面は下へ向かって延びて容室３２の吸水管３６とひとつなぎになっており、水を下方から容室３２へ入れるのに供し、下部セル３０の側面は外へ向かって延び容室３２の吐水管３８とひとつなぎになり、水を容室３２から吐水管３８を経由して外へ排出するのに供する。
【０００７】
モーター４０は上部セル２０と連結し、モーター駆動軸４２を有し、モーター駆動軸４２は上部セル２０の中穴２６を突っ切って容室３２中に突き出し入る。
排水羽根５０は容室３２中に取り付け、モーター４０のモーター駆動軸４２と連結し、排水羽根５０がモーター駆動軸４２の駆動を受けて回転するようにする。
【０００８】
上述の構造により、水が吸水管３６から容室３２の中へ入った後、モーター駆動軸４２は排水羽根５０の駆動をスタートし回転させ、水は排水羽根５０の力を受け下部セル３０の吐水管３８から外へ排出される。排水のプロセス中、水は排水羽根５０の力を受けて渦巻の状態を形成するが、上部セル２０の底面２２には環状斜面２４２を有するため、水が回転する時、その表面形状は環状斜面２４２と互いに呼応し、このことから、水の表面は上部セル２０の底面２２とぶつかることがないため、排水プロセス中に発生する騒音と振動とを減少することができる。
このように、本考案は環状凸縁２４と環状斜面２４２の設計を利用して、排水時に甚だしく大きな騒音と振動とが発生することを避けることのできるようにする。
【図面の簡単な説明】
【０００９】
【図１】本考案の一実施例による空調設備用排水装置の排水室を示す分解図である。
【図２】本考案の一実施例による空調設備用排水装置の排水室を示す斜視図である。
【図３】本考案の一実施例による空調設備用排水装置の排水室を示す断面図である。
【図４】慣用の排水室を示す断面図である。
【符号の説明】
【００１０】
１０:排水室、２０：上部セル、２２：底面、２４：環状凸縁、２４２：環状斜面、２６：中穴、３０：下部セル、３２：容室、３４：座金、３６：吸水管、３８：吐水管、４０：モーター、４２：モーター駆動部、５０：排水羽根
【図１】
0003129486.tif 000003
【図２】
0003129486.tif 000004
【図３】
0003129486.tif 000005
【図４】
0003129486.tif 000006